(57)【要約】【課題】  小型水生生物に負荷を与えないようにして飼育水槽を効率良く交換し、さらに飼育規模拡大にも順応性の高い小型水生生物の飼育装置及びその飼育方法を提供する。【解決手段】  複数の水槽部２と、該水槽部同士を接続する連結部４とを具備し、該水槽部２に水８を満たすことにより小型水生生物９が該連結部４を介して水槽部２間を往来できるようにし、さらに各水槽部２へ個別に照射できる光源機具６を設ける一方、前記連結部４の部位に水槽部２間の水の行き来を遮断する隔壁部材３を着脱自在に設けるようにした。【選択図】  図３
2008161139.tif 000002
【特許請求の範囲】
【請求項１】
複数の水槽部と、該水槽部同士を接続する連結部とを具備し、該水槽部に水を満たすことにより小型水生生物が該連結部を介して水槽部間を往来できるようにし、さらに各水槽部へ個別に照射できる光源機具を設ける一方、前記連結部の部位に水槽部間の水の行き来を遮断する隔壁部材を着脱自在に設けるようにしたことを特徴とする小型水生生物の飼育装置。
【請求項２】
２つの水槽部と、両水槽部を接続する連結部とを具備し、両水槽部に水を満たすことにより小型水生生物が該連結部を介して水槽部間を往来できるようにし、さらに可搬の光源機具を設け、該光源機具を移動設置することにより夫々の水槽部へ個別に照射できるようにする一方、前記連結部の部位に水槽部間の水の行き来を遮断する隔壁部材を着脱自在に設けるようにしたことを特徴とする小型水生生物の飼育装置。
【請求項３】
飼育水槽の水をバッチ処理で切替え交換しながら小型水生生物を飼育する方法にあって、飼育水槽に係る二つの水槽部を連結部で接続し、両水槽部間を小型水生生物が往来できるようにして、一の水槽部中にいた小型水生生物を他の水槽部中へ該小型水生生物の光に対する反応を利用して移動させ、その後、該連結部の部位に着脱自在に設けられた隔壁部材で水槽部間の水の行き来を遮断して、他の水槽部中で小型水生生物を飼育することを特徴とする小型水生生物の飼育方法。
【発明の詳細な説明】
【技術分野】
【０００１】
本発明は、イセエビ幼生等の小型水生生物の飼育装置及びその飼育方法に関する。
【背景技術】
【０００２】
イセエビ幼生などの小型水生生物の飼育では、飼育水槽の汚れを主な原因とする疾病が発生し、飼育成績が不安定となっている。幼生の疾病発生を防止するには、飼育水槽を定期的に交換し、飼育水槽を清浄に保つ必要があるが、大量の幼生が収容されている水槽を交換するのは困難で、飼育規模を拡大する際、支障をきたしていた。幼生飼育の規模を拡大するにあたり、その幼生飼育を安定させて、飼育水槽の効率的な交換を可能とする飼育水槽の開発が望まれている。こうしたなか、例えば甲殻類の幼生を高い生存率で効率良く大量飼育することのできる飼育方法及び装置が提案されている（特許文献１）。
【０００３】
【特許文献１】特開２００４−９７０７０
【０００４】
特許文献１の幼生飼育装置によれば、飼育水槽の回転に伴って生じた水流により甲殻類の幼生も上方に浮遊するため、従来のごとく底部で沈殿物と接触することがない結果、バクテリアによる死亡率が著しく軽減されるとしている。
【発明の開示】
【発明が解決しようとする課題】
【０００５】
しかしながら、特許文献１の甲殻類の幼生飼育方法及び装置には次のような問題があった。幼生飼育では管理者がエサの残渣を綺麗に取除くことを心掛けているが、完全を期すことは不可能であった。いかなる飼育装置にあっても、エサ残渣がどうしても残ってしまい、これを栄養源とするバクテリアが増殖し水槽の内壁に膜状付着した。幼生はこのバクテリアフィルムと接触して病気になるとされている。幼生の生残率を上げるために、水槽内壁に付着するバクテリアの汚れを除去する作業が定期的に必要になるが、特許文献１の幼生飼育装置はその形状から難しいと推定される。
加えて、エサ残渣や幼生のフンなどで浮遊するものはオーバーフロー排水管から系外へ排出されるものの、幼生の脱皮殻等大型で水槽底部に沈む沈殿物も現実に存在しており、該沈殿物はオーバーフロー排水管から系外へ排出されることがなかった。特許文献１の飼育装置は、例えば蓋部を外して円筒部の一部に形成された開口部からこの沈殿物を除去しなければならない。開口部から沈殿物を綺麗に取り除くことは厄介で、飼育規模が拡大すればその構造から一層問題になる虞があった。しかも、取り残された沈殿物はバクテリア増殖に直結し、幼生の生残率の低下を招いた。
【０００６】
上記問題を解消するには、バクテリアが水槽内壁に膜状に増殖した段階で、新鮮水を満たした水槽を横において、スプーン等を用いて幼生を掬ってこれを新鮮水の水槽に移し替えする方法がやはり効果的であるが、これまでの単なるバッチ処理の水槽交換は労力負担が大きかった。スプーン等を用いて１〜数個体ずつ手作業で古い水槽から新しい水槽へ移す方法では、実験室レベルならまだしも、規模が拡大すれば労力負担，作業時間が比例して増大し対応困難になっていた。また、スプーン等で移し替えする際、幼生に負荷を与え、さらに幼生を傷つけ、その結果、死に追いやる問題があった。
【０００７】
本発明は上記問題点を解決するもので、小型水生生物に負荷を与えないようにして飼育水槽を効率良く交換し、さらに飼育規模拡大にも順応性の高い小型水生生物の飼育装置及びその飼育方法を提供することを目的とする。
【課題を解決するための手段】
【０００８】
上記目的を達成すべく、請求項１に記載の発明の要旨は、複数の水槽部と、該水槽部同士を接続する連結部とを具備し、該水槽部に水を満たすことにより小型水生生物が該連結部を介して水槽部間を往来できるようにし、さらに各水槽部へ個別に照射できる光源機具を設ける一方、前記連結部の部位に水槽部間の水の行き来を遮断する隔壁部材を着脱自在に設けるようにしたことを特徴とする小型水生生物の飼育装置にある。請求項２に記載の発明の要旨は、２つの水槽部と、両水槽部を接続する連結部とを具備し、両水槽部に水を満たすことにより小型水生生物が該連結部を介して水槽部間を往来できるようにし、さらに可搬の光源機具を設け、該光源機具を移動設置することにより夫々の水槽部へ個別に照射できるようにする一方、前記連結部の部位に水槽部間の水の行き来を遮断する隔壁部材を着脱自在に設けるようにしたことを特徴とする小型水生生物の飼育装置にある。
請求項３に記載の発明の要旨は、飼育水槽の水をバッチ処理で切替え交換しながら小型水生生物を飼育する方法にあって、飼育水槽に係る二つの水槽部を連結部で接続し、両水槽部間を小型水生生物が往来できるようにして、一の水槽部中にいた小型水生生物を他の水槽部中へ該小型水生生物の光に対する反応を利用して移動させ、その後、該連結部の部位に着脱自在に設けられた隔壁部材で水槽部間の水の行き来を遮断して、他の水槽部中で小型水生生物を飼育することを特徴とする小型水生生物の飼育方法にある。
【発明の効果】
【０００９】
本発明の小型水生生物の飼育装置及びその飼育方法は、小型水生生物がもつ性質を利用して飼育水槽を効率良く交換できるので、飼育水槽を常に清浄な状態に保って小型水生生物の高い生残率を実現でき、さらに飼育規模拡大にも順応性が高いので、労力負担の軽減、時間短縮などに優れた効果を発揮する。
【発明を実施するための最良の形態】
【００１０】
以下、本発明に係る小型水生生物の飼育装置及びその飼育方法について詳述する。
（１）小型水生生物の飼育装置
図１〜図８は本発明の小型水生生物の飼育装置（以下、単に「飼育装置」という。）の一形態で、図１はその平面図、図２は連結部に隔壁部材を装着する様子を示す斜視図、図３は図１の飼育装置に係る左側飼育水槽に水(海水)を満たし、イセエビの幼生を飼育する様子を示す一部破断正面図、図４は(イ)が保護具の主要部品の斜視図、(ロ)が保護具の縦断面である。図５は図３の状態からさらに右側飼育水槽に水を満たすと共に隔壁部材を抜き取り、イセエビの幼生の光に対する反応を利用して該幼生が移動する様子を示す平面図、図６は図５の一部破断正面図、図７は図６の状態からイセエビの幼生を右側飼育水槽部へ移動させた後、隔壁部材を装着した様子を示す一部破断正面図、図８は図７の要部平面図である。
【００１１】
飼育装置は、複数の水槽部２と連結部４と隔壁部材３と光源機具６とを備える。複数の水槽部２と、該水槽部同士を接続する連結部４とを具備し、該水槽部２に水を満たすことにより小型水生生物９が該連結部４を介して水槽部２間を往来できるようにし、さらに各水槽部２へ個別に照射できる光源機具６を設ける一方、前記連結部４の部位に水槽部２間の水の行き来を遮断する隔壁部材３を着脱自在に設けるようにした小型水生生物９の飼育装置とする。ここで、本発明でいう「連結部４の部位に水槽部２間の水の行き来を遮断する隔壁部材３を着脱自在に設ける」に係る「連結部４の部位」は文字通りの連結部の部位だけでなく、連結部に近い水槽部の領域も含むものとする。連結部４に近い水槽部の領域に水槽部２間の水の行き来を遮断する隔壁部材３を着脱自在に設けても、文字通りの連結部の部位と比べて隔壁部材を着脱自在に設ける困難性が若干あるものの、本発明の作用,効果を十分発揮できるからである。
【００１２】
水槽部２は複数設けて各水槽部２同士を連結部４で接続することもできるが、本実施形態では二つの水槽部２を用意して、両水槽部２を接続する連結部４を設ける。そして、両水槽部２に水を満たすことにより小型水生生物９が該連結部４を介して水槽部２間を往来できるようにし、さらに可搬の光源機具６を設け、該光源機具６を移動設置することにより夫々の水槽部２へ個別に照射できるようにする一方、前記連結部４の部位に水槽部２間の水の行き来を遮断する隔壁部材３を着脱自在に設けるようにした小型水生生物９の飼育装置とする。
【００１３】
２つの前記水槽部２は同形で、底壁２０と側壁２１とで、たらいを大きくしたような上面開口の容器とする。両水槽部２の側壁２１の一部をＵ字状に切欠いて連結部４と接続し、水槽部２間を小型水生生物９が連結部４を介して往来できるようにしている。２つの水槽部２と括れ部分を形成する連結部４とで図１のごとく平面視で左右対称のひょうたん形とする。両水槽部２は小型水生生物９を飼育する飼育水槽１の主要部になり、前記隔壁部材３で水槽部２間の水の行き来を遮断することによって、水槽部２と隔壁部材３とで飼育水槽１を形成する。より詳しくは、水槽部２と隔壁部材３とごく一部の連結部４とで飼育水槽１を形成する。
ここで、水槽部２をたらいのような丸みのある平面視略円形にするのは、水槽部２に角部分が存在するとそこに幼生９ａが密集してしまうからである。水槽部２の側壁２１は、水深が特許文献１等の水槽と比べて浅めの５cm〜１５cmの範囲内になるよう側壁高さを設定し、水槽部２のスケールアップは平面視略円形の底壁２０の面積を広げて対応させる。水槽部２が大きくなっても、水深が浅いので、小型水生生物９の観察が容易で、エサ残渣や幼生の脱皮殻等大型で水槽部に沈む沈殿物の除去作業もスムーズに進む。
【００１４】
また、両水槽部２の底壁２０の中央にそれぞれ水抜き用の通孔２２を穿設し、該通孔２２に水槽部２の下側からパイプ２４が挿着される。詳しくは、底壁２０の中央を大きめにくり抜き、この部分に下側から当て部材２３が固着され、該当て部材２３に穿設した通孔２２にパイプ２４を挿着する。一端を通孔２２に挿着したパイプ２４は底壁２０に平行に外方へ配設され、さらに水槽部２外へ出たところで、垂直上方へ立ち上がり、パイプ上端(パイプ他端)が水槽部２の上縁付近にまで達する。該パイプ上端より少し下がった所にオーバーフロー用ノズル２４ａを設ける。図３で、フレッシュな飼育水(海水)を注入水５１として飼育水槽１内へ注ぎ込んだとき、余剰の水５２がオーバーフロー用ノズル２４ａから排出されて、この位置が飼育水８の水面８１となる。
符号２５は通孔２２を囲むようにして底壁２０に載置される筒状の保護具２５を示す。二つの環体２５ａ,２５ｂを上下方向に少し離れた状態にした後、両者を連結バー２５ｃで固着してなる筒体の筒面に、ネット等の網状体２５ｄを被着した保護具２５である(図４)。保護具２５が通孔２２を囲むようにして底壁２０上、詳しくは当て部材２３上に載置されたとき、前記飼育水８の水面８１が網状体２５ｄの位置にくるよう設定する(図４のロ)。保護具２５を載置する底壁部分は保護具２５の大きさに切り欠かれていて、ここに保護具２５が嵌合しその横ズレを防止する。符号１ｄは水槽部２,連結部４を水平に支えるサポートである。
【００１５】
連結部４は両水槽部２,２に対し括れ部分を形成して両者をつなぐ橋渡し形成部材になっている。連結部４は主部４０が横断面略Ｕ字形の半割り筒状体にして水槽部２と滑らかに接続する。連結部４と水槽部２との境界部分の内面は平滑にして緩やかなカーブを描いてつながっていて、凹凸のザラザラ感がなく、そこには出っ張りや突起物がない。連結部４及び水槽部２との接続部分で、少なくとも飼育水８の水面８１下においては、凹凸,出っ張り等の邪魔物を排除する。小型水生生物９が両水槽部２間を円滑に往来できるようにするためである。尚、図２,図３では連結部４との境界の水槽部接続ライン２０ａ,２１ａを図示するが、この部分で鋭い角部は存在しておらず、連結部４と水槽部２の境を便宜上記すにとどまる。
【００１６】
本実施形態の連結部４は、少なくとも飼育水８に浸かる部分において、水槽部２の底壁２０及び側壁２１を延設する格好で滑らかなカーブを描きながら形成する一方、Ｕ字状主部４０の上縁４０ａにおいては図２,図３のごとく途中で隆起する隆起壁４１を設ける。隆起壁４１は長四角状にして断面Ｕ字形の半割筒状主部４０の両壁部上に垂直起立する。２つの隆起壁４１が相対向するよう設けられ、その両対向面に縦溝４１ａが二対形成される。縦溝４１ａは一の水槽部寄りと他の水槽部寄りで垂直方向に形成される。各縦溝４１ａは図２のごとく平面視コ字形の溝で、その外側の隆起壁上面４１ｄには雌ねじ孔４１ｂが設けられる。
【００１７】
隔壁部材３は前記連結部４の部位で両水槽部２間の水の行き来を遮断できる仕切板状の部材である。本実施形態の隔壁部材３は、図２のごとくの板状本体部３ａと弾性部３ｂとを備える。本体部３ａは、連結部４の内周形状に合わせた側面視Ｕ字形した舌片状主部３０と、該主部から上方へ延設して一対の縦溝４１ａに嵌入する横幅のある張出部３１と、該張出部から上方へ延設して両水平外方向に突出する押え部３２とを具備する。該押え部に上下方向に貫通する透孔３２ａを設ける。
弾性部３ｂはシリコーン等からなる帯状体又は紐状体で、主部３０の外周縁に貼着される。図２のごとく、縦溝４１ａに張出部３１を嵌入し本体部３ａが起立するようにして、隔壁部材３を縦溝４１ａに装着すると、隔壁部材３の自重で、帯状弾性部３ｂが横断面Ｕ字形した連結部４の内面に当接する。と同時に、両押え部３２が両隆起壁４１の上面に若干浮き上がった状態で載る。このとき、透孔３２ａが前記雌ねじ孔４１ｂに一致するよう形成されており、止めボルト７１を透孔３２ａに通し雌ねじ孔４１ｂに螺着すると、帯状弾性部３ｂが弾性変形して隔壁部材３が連結部４に密着する。そして、隔壁部材３が両水槽部２間の水の行き来を完全遮断する。図１,図３では左側の縦溝４１ａに隔壁部材３を嵌合させて、止めボルト７１で隔壁部材３を連結部４に螺着固定した飼育装置になっていて、左側水槽部２と隔壁部材３とで飼育水槽１を形成する。図３のごとく左側水槽部２に注入水５１を入れると、左側水槽部２と隔壁部材３とで小型水生生物９を飼育できる飼育水槽１が出来上がる。また、この状態から右側水槽部２にも注入水５１を入れ、両水面８１を略同一レベルにした後、該隔壁部材３を連結部４から抜き去ると、図５のごとく左側水槽部２にいた小型水生生物９が連結部４を介して左右水槽部２間を往来できる構成にある。
【００１８】
光源機具６は光を発することのできる機具で、各水槽部２に個別に照射可能になっている。本実施形態の光源機具６は電球６０と該電球の装着部６１と支柱６２とを備える可搬タイプのものを２台使用する。図５のごとく左側水槽部２にいた小型水生生物９が連結部４を介して左右水槽部２間を往来できる状態にして、該光源機具６の電球６０を一の水槽部２（又は他の水槽部２）に照射することによって、一の水槽部２中にいた小型水生生物９を他の水槽部２中へ該小型水生生物９の光に対する反応を利用して移動させることができる。ここで、「一の水槽部２中にいた小型水生生物９を他の水槽部２中へ該小型水生生物９の光に対する反応を利用して移動させる」は、過半数を越える数の小型水生生物９を他の水槽部２中へ該小型水生生物９の光に対する反応を利用して移動させることができれば足りるものとする。飼育水槽１の交換にあって、飼育する過半数を越える小型水生生物９が自ら別の飼育水槽１(水槽部２)へ移動すれば、従来にない効率的な水槽交換が達成できるからである。
【００１９】
（２）小型水生生物の飼育方法
小型水生生物９の飼育方法は、飼育水槽１の水の交換を定期的に行いながら小型水生生物９を飼育する方法にあって、その飼育水槽１の水の交換時に、光に対する反応を利用して小型水生生物９を移動させる飼育方法である。詳しくは、飼育水槽１(水槽部２)の水をバッチ処理で切替え交換しながら小型水生生物９を飼育する方法にあって、飼育水槽１に係る二つの水槽部２を連結部４で接続し、両水槽部２間を小型水生生物９が往来できるようにして、一の水槽部２中にいた小型水生生物９を他の水槽部２中へ該小型水生生物９の光に対する反応を利用して移動させ、その後、該連結部４の部位に着脱自在に設けられた隔壁部材３で水槽部２間の水の行き来を遮断して、他の水槽部２中で小型水生生物９を飼育する方法である。ここで、本発明でいう「連結部４の部位に着脱自在に設けられた隔壁部材３で水槽部２間の水の行き来を遮断して」に係る「連結部４の部位」は文字通りの連結部の部位だけでなく、連結部に近い水槽部の領域も含むものとする。連結部４に近い水槽部の領域に着脱自在に設けられた隔壁部材３で水槽部２間の水の行き来を遮断しても、文字通りの連結部の部位と比べて隔壁部材を着脱自在に設ける困難性が若干あるものの、本発明の作用,効果を十分発揮できるからである。
【００２０】
小型水生生物９の飼育方法は、例えば前記図１〜図８の飼育装置を用いて次のようにして行なう。まず、図１,図２に示すごとく図面左側の縦溝４１ａを利用して隔壁部材３を連結部４に装着した後、止めボルト７１を透孔３２ａに挿通し雌ねじ孔４１ｂに螺着し、隔壁部材３を連結部４に密着固定させる。図１のごとく、連結部４と左側水槽部２とで飼育水槽１ができる。この左側の飼育水槽１に海水８を注入し，イセエビの幼生９ａ(フィロゾーマ)を収容し飼育する。その後も新鮮な海水８が注入水５１として飼育水槽１へ適宜注入され、飼育水槽１内の余剰水５２は保護具２５,通孔２２,パイプ２４を経由してノズル２４ａから系外へと排出される。幼生飼育する過程でエサ残渣等を取り除く作業をするが、エサ残渣等の一部は飼育水槽１内に残留し、また幼生９ａのフンなどでバクテリアが増殖し、バクテリアフィルムとなって飼育水槽１が汚れていく。
【００２１】
１日〜数日が経過し水槽部２の汚れが設定レベルを越えた段階で、他方の水槽部２(図１,図３の右側水槽部２)に幼生９ａを収容している左側水槽部２と同じ水位となるように新鮮な飼育水８(海水)を満たす。次いで、連結部４の縦溝４１ａに装着していた隔壁部材３を取り除き、幼生９ａが左右の水槽部２を行き来できるようにする(図５)。
【００２２】
続いて、ふ化直後の幼生９ａの場合は、新たな水槽部側すなわち図５,図６のごとく右側水槽部２に光源機具６を設置し、光源の電球６０を照射する。電球６０の光を上方から右側水面８１上へ照射する。そして、図５でいえば、新たな右側水槽部２の方へ幼生９ａを移動させる。図５中、符号Ｓは光源による照射ライト、符号Ｓ１は水面への光の照射ゾーンを示す。
イセエビ幼生９ａはふ化直後には正の趨光性(光に集まる性質)を示し、ふ化後１ヶ月程度経過すると次第に負の趨光性(光から離れる性質)を示す。その実験データを図９にグラフ化する。図９はイセエビ幼生９ａの個体数が約１７０匹で、直径約１８０cmφの平面視ほぼ円形の水槽部２で測定した結果を表したものである。図９で用いた光源は白熱灯であったが、光源の光の強さや波長を調整することで、更に高率で幼生９ａを意図する方向へ移動させることができると考えられる。
【００２３】
右側水槽部２を照らすと、幼生９ａが光に反応して、幼生自らが右側水槽部２へと移動していく。イセエビ幼生９ａの光に対する自然な反応を利用するものであって、幼生９ａに与えるストレスを最小限にして、収容していた方の水槽部２(図６の左側水槽部２)から新たな水槽部２(図６の右側水槽部２)へと幼生９ａを移し替えできる。一方、ふ化後１ヶ月が経過した幼生９ａでは、収容していた方の水槽部２(図６の左側水槽部２)に光源機具６を設置することで、幼生９ａを新たな水槽部２の方へと移動させることができる。
【００２４】
前記幼生９ａの移動がほぼ終了した時点で、新たな水槽部２(図６の右側水槽部２)寄りの縦溝４１ａに隔壁部材３を装着し、水槽部２の交換が終了する。図６の右側水槽部２と隔壁部材３とで新たな飼育水槽１が形成される。
しかる後、光源の電球６０を消し、新たな水槽部２へ移動しきれなかった幼生９ａを、スプーン等を用いて移す。その個体数が少ないため、労力負担は小さい。従来、１個体ずつ手作業で新たな水槽部２へ移すことで行っていた水槽交換の労苦から開放される。
その後、新たな飼育水槽１で幼生９ａを飼育する。また飼育の傍ら、幼生９ａを収容していた水槽部２の海水８を抜き、スポンジ等で掃除し，次の水槽部２の交換時に備える。次の交換に備える水槽部２は勿論のこと、二対の縦溝４１ａを設けたことによって次の交換時に使用する連結部４の部分も掃除できるので、スタンバイ用飼育水槽１は常に清浄に保つことができる。
新たな飼育水槽１での幼生飼育の時間が経過し、新たな水槽部２(図６の右側水槽部２)の汚れが設定レベルを越えるようになったら、また左側水槽部２へ切り替える上記一連の作業を繰り返し、幼生９ａを飼育成長させていく。
【００２５】
（３）効果
このように構成した小型水生生物の飼育装置及びその飼育方法によれば、一の水槽部２へ光源を照射することで、イセエビ幼生等の小型水生生物９が自ら有する趨光性の性質に起因して、収容していた方の水槽部２から新たな水槽部２側へ進んで移動していくので、飼育水槽１を効率良く交換できる。従来、１個体ずつ手作業で新たな水槽へ移していた水槽交換を半自動化できる。イセエビ幼生９ａでは、ふ化直後の幼生９ａの場合は新たな水槽部２側に、ふ化後1ヶ月程度が経過した幼生９ａでは収容していた方の水槽部２側に光源を照射することで、幼生９ａを新たな水槽部２の方へ簡単に移動させることができる。労力負担や作業時間が大幅軽減される。労力負担や作業時間が少なくて済むので、飼育水槽１を常に清浄な状態に保って小型水生生物９の高い生残率を達成できる。従来の水槽では１週間で２回の水槽交換であったところ、本発明の飼育装置では大幅に労力軽減されることから毎日でもさほど負担にならない。これらの条件下で、ふ化後の日数に対する生残率を測定した結果を図１０に示す。図１０中、「発明した水槽」とは本飼育装置をいい、「従来の水槽」とは二つの水槽でバッチ交換できる従来からある水槽をいう。本発明の飼育装置及び飼育方法は、「従来の水槽」でのバッチ交換に比べ、高い生残率を維持できる。
【００２６】
また、水槽部２の交換に際し、光を用いることによって幼生９ａが自発的に新たな水槽部２の方へ移動するので、幼生飼育が容易で、飼育規模が拡大しても円滑対応でき極めて有益となる。しかも、本飼育装置の構造が前述のごとく簡易で、飼育規模が増大しても設備コストがそれほどかからない。さらに、本飼育装置は、特許文献１の装置と違って可動部をもたないので故障が少なく、メンテナンスも楽である。大型化した飼育水槽１にバクテリアフィルムが発生し、水槽が汚れても、既述のごとく飼育水槽を構成する水槽部２,隔壁部材３,連結部４の形状がシンプルなことから、簡単に清掃除去できる。
加えて、イセエビ幼生９ａの光に対する自然な反応を利用するもので、幼生等の小型水生生物９に与えるストレスを最小限に抑えて水槽部２の交換が可能になる。幼生９ａの高い生残率の維持にも貢献する。
【００２７】
尚、本発明においては前記実施形態に示すものに限られず、目的,用途に応じて本発明の範囲で種々変更できる。実施形態では、小型水生生物９にイセエビ幼生９ａを用いたが、小型水生生物９の飼育はこれに限らず、光に対する反応を利用して移動させることのできるその他のエビ,カニなどの甲殻類、さらに稚魚等の他の生物の飼育にも適用できる。
【図面の簡単な説明】
【００２８】
【図１】本発明の小型水生生物の飼育装置の一形態で、その平面図である。
【図２】連結部に隔壁部材を装着する様子を示す斜視図である。
【図３】図１の飼育装置に係る左側飼育水槽に水を満たし、イセエビの幼生を飼育する様子を示す一部破断正面図である。
【図４】(イ)が保護具の主要部品の斜視図、(ロ)が保護具の縦断面である。
【図５】図３の状態からさらに右側飼育水槽に水を満たすと共に隔壁部材を抜き取り、イセエビ幼生の光に対する反応を利用して該幼生が移動する様子を示すである。
【図６】図５の一部破断正面図である。
【図７】図６の状態からイセエビの幼生を右側飼育水槽部へ移動させた後、隔壁部材を装着した様子を示す一部破断正面図である。
【図８】図７の平面図である。
【図９】イセエビ幼生の趨光性を示すグラフである。
【図１０】ふ化後の日数に対する生残率を、本発明の飼育装置と従来の水槽とで比較したグラフである。
【符号の説明】
【００２９】
１            飼育水槽
２            水槽部
３            隔壁部材
４            連結部
６            光源機具
８            飼育水（水）
９            小型水生生物
９ａ          イセエビ幼生
【図１】
2008161139.tif 000003
【図２】
2008161139.tif 000004
【図３】
2008161139.tif 000005
【図４】
2008161139.tif 000006
【図５】
2008161139.tif 000007
【図６】
2008161139.tif 000008
【図７】
2008161139.tif 000009
【図８】
2008161139.tif 000010
【図９】
2008161139.tif 000011
【図１０】
2008161139.tif 000012